(57)【要約】【課題】ノウハウデータに基づいて分析された第１の分析結果と、分析情報に基づいて分析された第２の分析結果の両方を表示する分析装置を提供する。【解決手段】分析データが入力される分析データ入力部と、分析データを分析する分析部と、分析データを分析するための分析情報を分析部に入力する分析情報入力部と、分析情報を蓄積したノウハウデータを分析部に入力するノウハウ入力部と、ノウハウデータに基づいて分析された第１の分析結果と、分析情報に基づいて分析された第２の分析結果の両方を表示する表示部とを備える分析装置を提供する。【選択図】図１
2020030083.tif 000002
【特許請求の範囲】
【請求項１】
分析データを入力する分析データ入力部と、
前記分析データを分析する分析部と、
前記分析データを分析するための分析情報を前記分析部に入力する分析情報入力部と、
前記分析情報を蓄積したノウハウデータを前記分析部に入力するノウハウ入力部と、
前記ノウハウデータに基づいて分析された第１の分析結果と、前記分析情報に基づいて分析された第２の分析結果の両方を表示する表示部と
を備える分析装置。
【請求項２】
前記分析情報を記憶するための分析情報記憶部と、
前記分析情報を前記ノウハウデータとして記憶するためのノウハウ記憶部と
を更に備え、
前記分析部は、前記分析情報記憶部から前記分析情報を取得し、前記ノウハウ記憶部から前記ノウハウデータを取得する
請求項１に記載の分析装置。
【請求項３】
前記表示部は、前記第１の分析結果と前記第２の分析結果との相違部分を強調表示する
請求項１または２に記載の分析装置。
【請求項４】
前記第１の分析結果と前記第２の分析結果との比較に基づいて、前記分析情報により前記ノウハウデータを更新するか否かを決定する更新部を更に備える
請求項１から３のいずれか一項に記載の分析装置。
【請求項５】
前記第１の分析結果と前記第２の分析結果との比較に基づいて、前記ノウハウデータの優先度を決定する優先度決定部を更に備え、
前記ノウハウ入力部は、前記優先度に基づいて、前記分析部に前記ノウハウデータを入力する
請求項１から４のいずれか一項に記載の分析装置。
【請求項６】
分析データが入力される分析データ入力ステップと、
前記分析データを分析するための分析情報を入力する分析情報入力ステップと、
前記分析情報を蓄積したノウハウデータを入力するノウハウ入力ステップと、
前記分析データを分析する分析ステップと、
前記ノウハウデータに基づいて分析された第１の分析結果と、前記分析情報に基づいて分析された第２の分析結果の両方を表示する表示ステップと
を備える分析支援方法。
【発明の詳細な説明】
【技術分野】
【０００１】
本発明は、分析装置および分析支援方法に関する。
【背景技術】
【０００２】
従来、事前に登録したノウハウデータに基づいて、初心者によるデータ分析を支援する分析装置が知られている（例えば、特許文献１参照）。
特許文献１  特開２０１０−２０５２１８号公報
【発明の概要】
【発明が解決しようとする課題】
【０００３】
しかしながら、従来の分析装置では、専門家が分析を行う際、自らの分析結果と過去のノウハウに基づいた分析結果を同時に得ることができない。
【課題を解決するための手段】
【０００４】
本発明の第１の態様においては、分析データが入力される分析データ入力部と、分析データを分析する分析部と、分析データを分析するための分析情報を分析部に入力する分析情報入力部と、分析情報を蓄積したノウハウデータを分析部に入力するノウハウ入力部と、ノウハウデータに基づいて分析された第１の分析結果と、分析情報に基づいて分析された第２の分析結果の両方を表示する表示部とを備える分析装置を提供する。
【０００５】
分析装置は、分析情報を記憶するための分析情報記憶部と、分析情報をノウハウデータとして記憶するためのノウハウ記憶部とを更に備えてよい。分析部は、分析情報記憶部から分析情報を取得し、ノウハウ記憶部からノウハウデータを取得してよい。
【０００６】
表示部は、第１の分析結果と第２の分析結果との相違部分を強調表示してよい。
【０００７】
第１の分析結果と第２の分析結果との比較に基づいて、分析情報によりノウハウデータを更新するか否かを決定する更新部を更に備えてよい。
【０００８】
分析装置は、第１の分析結果と第２の分析結果との比較に基づいて、ノウハウデータの優先度を決定する優先度決定部を更に備えてよい。ノウハウ入力部は、優先度に基づいて、分析部にノウハウデータを入力してよい。
【０００９】
本発明の第２の態様においては、分析データが入力される分析データ入力ステップと、分析データを分析するための分析情報を入力する分析情報入力ステップと、分析情報を蓄積したノウハウデータを入力するノウハウ入力ステップと、分析データを分析する分析ステップと、ノウハウデータに基づいて分析された第１の分析結果と、分析情報に基づいて分析された第２の分析結果の両方を表示する表示ステップとを備える分析支援方法を提供する。
【００１０】
なお、上記の発明の概要は、本発明の特徴の全てを列挙したものではない。また、これらの特徴群のサブコンビネーションもまた、発明となりうる。
【図面の簡単な説明】
【００１１】
【図１】実施例に係る分析装置１００の構成の一例を示す。
【図２Ａ】分析装置１００の動作のフローチャートの概要を示す。
【図２Ｂ】第１の分析モードにおける分析装置１００のフローチャートの一例を示す。
【図２Ｃ】第２の分析モードにおける分析装置１００のフローチャートの一例を示す。
【図３Ａ】分析装置１００が設定した種別マスタＤＢの一例を示す。
【図３Ｂ】タグ種別のマスタＤＢの一例を示す。
【図３Ｃ】機器種別のマスタＤＢの一例を示す。
【図４】分析装置１００が取得した分析データＡＤの一例を示す。
【図５Ａ】「分析手法ＡＭ」または「分析したい内容」の設定画面の一例を示す。
【図５Ｂ】「分析手法ＡＭ」および「分析したい内容」の一例を示す。
【図５Ｃ】「分析手法ＡＭ」または「分析したい内容」の選択方法の一例を示す。
【図６Ａ】入力変数および出力変数の設定方法の一例を示す。
【図６Ｂ】「入力変数」および「出力変数」の設定画面の一例を示す。
【図７Ａ】ノウハウ記憶部３５に蓄積されたノウハウデータＮＤの一例を示す。
【図７Ｂ】優先度に応じたノウハウデータＮＤの抽出例を示す。
【図７Ｃ】表示部５０による分析結果の表示方法の一例を示す。
【図８Ａ】他の実施例に係る表示部５０が表示する分析ツールの画面例を示す。
【図８Ｂ】ノウハウ記憶部３５に蓄積されたノウハウデータＮＤの一例を示す。
【図８Ｃ】優先度に応じたノウハウデータＮＤの抽出例を示す。
【図８Ｄ】表示部５０による分析結果の表示方法の一例を示す。
【図８Ｅ】ノウハウ記憶部３５へのノウハウデータＮＤの登録例を示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、実施例に係る分析装置１００の構成の一例を示す。本例の分析装置１００は、分析データ入力部１０と、分析情報入力部２０と、ノウハウ入力部３０と、分析部４０と、表示部５０とを備える。また、分析装置１００は、分析情報記憶部２５と、ノウハウ記憶部３５と、更新部３８と、優先度決定部６０とを更に備えてもよい。
【００１４】
分析データ入力部１０は、分析データＡＤを分析部４０に入力する。分析データ入力部１０は、分析者の指示により分析データＡＤの入力を実行してよい。
【００１５】
分析データＡＤは、分析装置１００が分析する対象となるデータである。一例において、分析装置１００は、ある製品を製造する工場に設けられた複数のセンサが取得したデータ列を分析データＡＤとして取得する。例えば、分析装置１００は、分析データＡＤを分析することにより、分析データＡＤの変数間の相関算出や、品質シミュレーションや、異常診断等を実現する。
【００１６】
分析情報入力部２０には、分析部４０が分析データＡＤを分析する場合に用いる分析情報ＡＮが入力される。分析情報入力部２０は、入力された分析情報ＡＮを分析部４０に出力する。本例の分析情報入力部２０は、分析情報記憶部２５に接続されている。
【００１７】
分析情報ＡＮは、分析部４０が分析データＡＤを分析するために必要な情報を含む。例えば、分析情報ＡＮは、分析手法ＡＭ、分析変数ＶＡおよび種別マスタＤＢ等の情報を含む。分析手法ＡＭは、相関算出、品質シミュレーションおよび異常診断等の手法を含む。分析変数ＶＡは、入力変数や出力変数等の変数を含む。種別マスタＤＢは、事前情報として登録されるデータのタグに関する情報である。分析情報ＡＮの個々の内容の詳細は後述する。
【００１８】
分析情報記憶部２５は、分析情報ＡＮを記憶する。分析情報記憶部２５は、分析情報入力部２０に分析情報ＡＮを入力する。分析情報記憶部２５は、分析情報入力部２０の内部に設けられてもよいし、分析装置１００の外部に設けられてもよい。
【００１９】
ノウハウ入力部３０には、ノウハウデータＮＤが入力される。ノウハウ入力部３０は、入力されたノウハウデータＮＤを分析部４０に出力する。本例のノウハウ入力部３０は、ノウハウ記憶部３５に接続されている。
【００２０】
ノウハウデータＮＤは、分析情報ＡＮ等の過去のデータを蓄積したデータベースである。即ち、ノウハウデータＮＤは、専門家によるノウハウをデータベース化したものとして、分析データＡＤの分析に用いられる。分析装置１００は、ノウハウデータＮＤを用いることにより、初心者による分析を補助することができる。
【００２１】
ノウハウ記憶部３５は、分析情報ＡＮをノウハウデータＮＤとして記憶する。ノウハウ記憶部３５は、ノウハウデータＮＤをノウハウ入力部３０に入力する。ノウハウ記憶部３５は、ノウハウ入力部３０の内部に設けられてもよいし、分析装置１００の外部に設けられてもよい。
【００２２】
分析部４０は、入力された分析情報ＡＮに基づいて、分析データＡＤを分析する。分析部４０には、分析データＡＤ、分析情報ＡＮおよびノウハウデータＮＤが入力される。
【００２３】
本例の分析部４０は、分析情報記憶部２５から分析情報ＡＮを取得し、ノウハウ記憶部３５からノウハウデータＮＤを取得する。なお、本例では、分析装置１００が分析情報記憶部２５およびノウハウ記憶部３５を別々に備え、分析情報ＡＮおよびノウハウデータＮＤが異なる記憶部に記憶される場合について説明したが、分析情報ＡＮおよびノウハウデータＮＤが同一の記憶部に保存されていてもよい。
【００２４】
表示部５０は、分析部４０による分析結果を表示する。表示部５０は、後述するノウハウ分析結果および自己分析結果の両方を表示する。なお、表示部５０は、分析結果を表示するディスプレイを有してもよいし、出力した信号により、外部のディスプレイ等に分析結果を表示してもよい。
【００２５】
ノウハウ分析結果は、ノウハウデータＮＤに基づいて分析された分析結果である。即ち、ノウハウ分析結果は、専門家によるノウハウに基づいて分析された分析結果である。ノウハウ分析結果に用いられるノウハウデータＮＤは、入力された分析情報ＡＮに基づいて決定されてよい。例えば、ノウハウ分析結果は、後述する第１の分析者または第２の分析者により分析された場合に表示される。ノウハウ分析結果は、第１の分析結果の一例である。
【００２６】
自己分析結果は、分析情報ＡＮに基づいて分析された分析結果である。即ち、自己分析結果は、ノウハウデータＮＤに基づかず、分析者自らの判断によって分析した分析結果である。自己分析結果は、ノウハウデータＮＤを用いずに分析されるので、専門家による過去のノウハウに基づいていない。例えば、自己分析結果は、第２の分析者により分析された場合に表示される。自己分析結果は、第２の分析結果の一例である。
【００２７】
ここで、第１の分析者とは、第２の分析者よりも経験の浅い分析者を指す。例えば、第１の分析者は、分析の初心者である。分析装置１００は、情報の入力を補助することにより、第１の分析者によるデータの分析を容易にする。例えば、分析装置１００は、第１の分析者が入力する情報をより分かりやすいものに変更したり、入力する情報を少なくしたりすることにより、第１の分析者を補助する。
【００２８】
一方、第２の分析者は、第１の分析者よりも分析に習熟した分析者である。例えば、第２の分析者は、分析の専門家である。分析装置１００は、第２の分析者による分析結果と、ノウハウデータＮＤに基づく過去の分析結果の両方を表示する。これにより、分析装置１００は、第２の分析者が分析した場合であっても、過去の分析データとの比較により新たな気づきを提供することができる。なお、本明細書において、単に「分析者」と記載する場合は、第１の分析者および第２の分析者に限定されない分析者を指す。
【００２９】
ここで、表示部５０は、ノウハウ分析結果と自己分析結果との相違部分を強調表示してよい。例えば、表示部５０は、ノウハウ分析結果と自己分析結果との相違部分を強調表示することにより、過去の分析者である専門家による分析結果と、現在の分析者である専門家による分析結果との相違部分を強調表示して、現在の分析者である専門家に知らせることができる。
【００３０】
なお、ノウハウ記憶部３５は、分析情報ＡＮとノウハウデータＮＤとを比較してよい。ノウハウ記憶部３５は、当該比較結果に応じて、分析情報ＡＮをノウハウデータＮＤとして記憶するか否かを決定してよい。例えば、ノウハウ記憶部３５は、第２の分析者が分析部４０に入力した分析情報ＡＮと、ノウハウ記憶部３５に記憶されたノウハウデータＮＤとを比較して、相違部分がある場合に記憶する。
【００３１】
優先度決定部６０は、ノウハウとして用いるノウハウデータＮＤの優先度を決定する。優先度決定部６０は、ノウハウ分析結果と自己分析結果との比較に基づいて、ノウハウデータＮＤの優先度を決定する。また、優先度決定部６０は、分析者の入力にしたがって、ノウハウ分析結果と自己分析結果の優先度を設定してもよい。そして、ノウハウ入力部３０は、設定された優先度に基づいて、分析部４０にノウハウデータＮＤを入力する。
【００３２】
また、分析装置１００は、次回より今回実行した分析結果が優先的に抽出されるように設定を変更することができる。このように、分析装置１００は、ノウハウデータＮＤの優先度を容易に変更できる。これにより、分析装置１００は、現在の専門家による入力と、過去の専門家のノウハウとを比較して、好ましい方を優先的に表示することができる。
【００３３】
更新部３８は、ノウハウ分析結果と自己分析結果との間の相違部分に基づいて、分析情報ＡＮによりノウハウデータＮＤを更新するか否かを決定する。本例の更新部３８は、分析部４０とノウハウ記憶部３５との間に設けられるが、これに限定されない。一例において、更新部３８は、特定の権限を有するものの指示に基づいてノウハウデータＮＤを更新する。例えば、更新部３８は、専門家である第２の分析者の指示によってノウハウデータＮＤを更新するが、初心者である第１の分析者の指示によってはノウハウデータＮＤを更新しない。
【００３４】
図２Ａは、分析装置１００の動作のフローチャートの概要を示す。分析装置１００は、ステップＳ１００〜ステップＳ１１０を実行することにより、分析結果を分析者に表示する。本例では、分析者を第１の分析者および第２の分析者のいずれかに限定せずに、分析装置１００の基本的な動作のフローチャートを説明する。なお、本例のフローチャートは、分析装置１００の動作の一例であり、分析装置１００の動作は本例に限定されない。
【００３５】
ステップＳ１００において、分析装置１００は、種別マスタＤＢを登録する。種別マスタＤＢは、分析情報記憶部２５に保存されてよい。一例において、分析装置１００は、データのタグ名称、タグＮｏ、タグ種別および機器種別等を種別マスタＤＢに登録する。例えば、タグ名称およびタグＮｏは、生産現場の機器設置担当者によって、現場でのセンサの取り付け時に設定される。
【００３６】
ステップＳ１０２において、分析装置１００は、分析データＡＤを分析部４０に入力する。例えば、分析装置１００は、分析ツールを実行し、これに応じて分析データＡＤを分析部４０に入力する。分析ツールは、分析者の指示により操作されてよい。
【００３７】
ステップＳ１０４において、「分析したい内容」若しくは「分析手法ＡＭ」を選択する。分析者は、「分析したい内容」若しくは「分析手法ＡＭ」の一方を分析装置１００に入力してよい。例えば、第１の分析者が分析する場合に「分析したい内容」を設定し、第２の分析者が分析する場合に「分析手法ＡＭ」を設定する。「分析手法ＡＭ」の入力よりも「分析したい内容」の入力の方が容易である。
【００３８】
ステップＳ１０６において、ノウハウ入力部３０は、ノウハウデータＮＤを分析部４０に入力する。ステップＳ１０８において、分析部４０は、分析情報ＡＮに基づいて、分析データＡＤを分析する。分析部４０は、ノウハウデータＮＤに基づいて分析データＡＤを分析してよい。
【００３９】
ステップＳ１１０において、表示部５０は、分析部４０による分析結果を表示する。例えば、表示部５０は、ノウハウ分析結果と自己分析結果の両方を表示する。
【００４０】
ここで、分析装置１００は、第１の分析モードおよび第２の分析モードの２つの分析モードを有する。例えば、分析装置１００は、第１の分析モードおよび第２の分析モードを分析者に応じて変更する。
【００４１】
第１の分析モードでは、ノウハウ分析結果を表示する。第１の分析モードは、第１の分析者により実行され、第２の分析モードより簡単な操作により分析データＡＤを分析することができる。第１の分析モードにおいては、分析部４０は、ノウハウデータＮＤに基づいて分析データＡＤを分析する。
【００４２】
第２の分析モードでは、ノウハウ分析結果および自己分析結果の両方を表示する。第２の分析モードは、第２の分析者により実行され、第１の分析モードよりも専門的な知識の入力が要求される。第２の分析モードにおいては、分析部４０は、分析情報ＡＮに基づいて分析データＡＤを分析する。
【００４３】
分析装置１００は、分析者の入力に応じて、第１の分析モードおよび第２の分析モードのいずれかを自動的に選択してよい。例えば、分析装置１００は、分析者のログイン情報に基づいて、分析者が第１の分析者であるか、第２の分析者であるかを判断する。また、分析者によって、第１の分析モードおよび第２の分析モードのいずれかの分析モードが選択されてもよい。
【００４４】
図２Ｂは、第１の分析モードにおける分析装置１００のフローチャートの一例を示す。本例では、初心者である第１の分析者が第１の分析モードを用いて分析データＡＤを分析する場合について説明する。第１の分析者が分析装置１００を動作させる場合、第２の分析者の場合よりも情報の容易な入力により分析データＡＤを分析することができる。第１の分析モードでは、分析情報ＡＮに基づいて分析データＡＤが分析される。
【００４５】
ステップＳ２００では、ステップＳ１００と同様に、種別マスタＤＢを登録する。種別マスタＤＢを一度登録した場合、分析装置１００は、種別マスタＤＢの登録するステップを省略し、過去の種別マスタＤＢを使用してよい。種別マスタＤＢは、分析情報ＡＮの一例である。Ｓ２０２では、ステップＳ１０２と同様に分析データＡＤを分析部４０に入力する。
【００４６】
ステップＳ２０４において、第１の分析者は、分析装置１００に「分析したい内容」を入力する。例えば、第１の分析者は、分析装置１００が表示した「分析したい内容」の一覧から、「分析したい内容」を選択する。「分析したい内容」は、分析情報ＡＮの一例である。
【００４７】
ステップＳ２０６において、第１の分析者は、「入力変数」および「出力変数」を分析装置１００に入力する。「入力変数」および「出力変数」は、分析情報記憶部２５に記憶されてよい。分析装置１００は、第１の分析者が「入力変数」および「出力変数」を選択するための一欄を表示してよい。第１の分析者は、一覧から「入力変数」および「出力変数」を選択してよい。「入力変数」および「出力変数」は、分析情報ＡＮの一例である。
【００４８】
ステップＳ２０８において、分析部４０は、ノウハウデータＮＤに基づいて分析データＡＤを分析する。これにより、分析部４０は、ノウハウ分析結果を取得する。一例において、ノウハウデータＮＤに基づいて分析するとは、ノウハウデータＮＤから類似する情報を選択して、選択したノウハウデータＮＤを用いて分析データＡＤを分析することを指す。より具体的には、分析装置１００は、第１の分析者が選択した「分析したい内容」に基づいて、ノウハウデータＮＤから類似する「分析手法ＡＭ」を選択する。同様に、第１の分析者が入力した情報に基づいて、「入力変数」および「出力変数」を自動的に選択してもよい。
【００４９】
ステップＳ２１０において、表示部５０により、第１の分析者が実行した分析結果を表示する。表示部５０は、ステップＳ２００〜ステップＳ２０８で設定された内容に沿った分析結果を画面に表示する。第１の分析モードでは、第１の分析者に分かりやすくするために、ノウハウ分析結果のみを表示してよい。
【００５０】
図２Ｃは、第２の分析モードにおける分析装置１００のフローチャートの一例を示す。本例では、専門家である第２の分析者が第２の分析モードを用いて分析データＡＤを分析する場合について説明する。第２の分析モードにおいて、分析装置１００は、ノウハウ分析結果および自己分析結果の両方の分析結果を表示することができる。
【００５１】
ステップＳ３００では、ステップＳ１００と同様に、種別マスタＤＢを登録する。種別マスタＤＢを一度登録した場合、分析装置１００は、種別マスタＤＢの登録するステップを省略し、過去の種別マスタＤＢを使用してよい。Ｓ３０２では、ステップＳ１０２と同様に分析データＡＤを分析部４０に入力する。
【００５２】
ステップＳ３０４において、第２の分析者は、分析装置１００に「分析手法ＡＭ」を入力する。例えば、第２の分析者は、分析手法ＡＭの一覧から分析手法ＡＭを選択して入力する。「分析手法ＡＭ」は、分析情報ＡＮの一例である。
【００５３】
ステップＳ３０６において、第２の分析者は、「入力変数」および「出力変数」を分析装置１００に入力する。分析装置１００は、第２の分析者が「入力変数」および「出力変数」を選択するための一欄を表示してよい。第２の分析者は、一覧から「入力変数」および「出力変数」を選択してよい。「入力変数」および「出力変数」は、分析情報ＡＮの一例である。
【００５４】
ステップＳ３０８において、分析装置１００は、ノウハウ記憶部３５にノウハウデータＮＤを保存する。例えば、分析装置１００は、ノウハウデータＮＤとして、分析データＡＤの機器種別、分析手法ＡＭ、入力変数のタグ種別および出力変数のタグ種別の組合せを保存する。分析装置１００は、自動的に、ノウハウデータＮＤを保存してもよい。自動的とは、分析者が指示することなく、分析装置１００が実行することを指す。ノウハウデータＮＤの保存は、分析データＡＤの分析と並行して実行されてよい。
【００５５】
ステップＳ３１０において、分析部４０が分析データＡＤを分析する。これにより、分析部４０は、ノウハウ分析結果および自己分析結果を取得する。
【００５６】
ここで、分析装置１００は、入力した分析情報ＡＮと類似する情報をノウハウデータＮＤから自動的に選択してよい。自動的にとは、第２の分析者が指示することなく、分析装置１００が入力された情報に基づいて実行することを指す。分析装置１００は、ノウハウデータＮＤから選択した情報に基づいて分析データＡＤを分析する。
【００５７】
例えば、分析装置１００は、ステップＳ３０４において第２の分析者が選択した「分析手法ＡＭ」に基づいて、ノウハウデータＮＤから類似する「分析手法ＡＭ」、「入力変数」および「出力変数」等を自動的に選択する。ステップＳ３１０は、ステップＳ３０８と同じタイミングで並行して実行されてよい。
【００５８】
ステップＳ３１２において、表示部５０により、ノウハウ分析結果および自己分析結果の両方を表示する。第２の分析モードにおいて、表示部５０は、ノウハウ分析結果と自己分析結果との間に違いが生じた場合、分析結果の相違箇所を強調表示してよい。これにより、分析装置１００は、第２の分析者が自らの考えで実行した分析結果と、過去のノウハウに基づく分析結果との間に違いが生じた場合に、視覚的に分かり易く第２の分析者に気づきを提示することができる。第２の分析者は、強調表示に応じて、入力する分析情報ＡＮを再検討することができる。
【００５９】
ステップＳ３１４において、更新部３８により、ノウハウデータＮＤを更新する。例えば、更新部３８は、分析結果に違いがあった場合、権限を持った分析者の判断により、今回実行した分析結果が次回の分析に優先的に抽出されるようにノウハウデータＮＤを変更してもよい。
【００６０】
初心者に対して分析装置１００は、専門家と同等の分析結果を得られるようにすることができる。即ち、分析初心者は、分析対象データの内容とやりたい分析内容を決めるだけで、事前にノウハウデータＮＤに登録しておいた内容を自動的に参考にして、分析結果を得ることができる。
【００６１】
専門家に対して分析装置１００は、自己分析結果とノウハウ分析結果を同時に得ることができる。このように、自らの考えで実行した分析結果と過去のノウハウに基づいた分析結果を同時に提示する方式としたことにより、特に専門家が分析を行う際、新たな気付きを直ぐに得られるようになる効果がある。また、分析装置１００は、優先的に表示されるノウハウの設定を分析中に変更することができるので、ノウハウ活用における精度を向上することができる。
【００６２】
図３Ａは、分析装置１００が設定した種別マスタＤＢの一例を示す。種別マスタＤＢは、分析データＡＤを分析する前に登録されてよい。
【００６３】
種別マスタＤＢは、データのタグ名称、タグＮｏ、タグ種別および機器種別等を含む。種別マスタＤＢは、分析データＡＤを取得するセンサや、センサの取り付けられた機器に関する情報のデータベースである。一例において、生産現場などでは、機器設置の担当者が各種センサを取り付けた時に、データのタグ名称やタグＮｏ等の情報を設定する。そして、タグ種別および機器種別は、タグ名称およびタグＮｏと同時に登録されてもよく、後から追加で登録されてもよい。
【００６４】
例えば、タグ名称は、圧力、回転数、振動、温度、湿度、電流、電圧、圧力、重量、ひずみおよび速度を含む。タグ名称には、それぞれ単位が付されていてよい。
【００６５】
タグ種別は、タグ名称が付されたそれぞれのタグを、データの種類に分けて分類するためのものである。タグ種別を設定することにより、複数のタグ名称を種類毎にまとめて取り扱うことができる。本例のタグ種別には、ひずみ、加速度、振動、熱および電磁気等が含まれる。例えば、タグ種別のひずみには、圧力Ａ、圧力Ｂ、重量Ｂ、ひずみＢが含まれている。タグ種別の加速度には、回転数Ａ、速度Ｂ、回転数Ｂが含まれている。
【００６６】
機器種別は、分析データＡＤを取得するセンサが取り付けられた機器が、どのような工程で用いられているものであるかを示している。例えば、機器種別は、製造工程における組立および加工等の種別を含む。
【００６７】
図３Ｂは、タグ種別のマスタＤＢの一例を示す。分析装置１００は、タグ種別のマスタＤＢからタグ種別を選択することができる。本例のタグ種別のマスタＤＢは、ひずみ、加速度、振動、熱、電磁気、におい等を含む。分析装置１００は、タグ種別のマスタＤＢからタグ種別を選択して、種別マスタＤＢに追加で登録してよい。種別マスタＤＢへの登録は、機器設置の担当者によって実行されてよい。
【００６８】
図３Ｃは、機器種別のマスタＤＢの一例を示す。分析装置１００は、機器種別マスタＤＢから機器種別を選択することができる。本例の機器種別のマスタＤＢは、組立、加工、洗浄、溶接等を含む。分析装置１００は、機器種別のマスタＤＢから機器種別を選択して、種別マスタＤＢに追加で登録してよい。種別マスタＤＢへの登録は、機器設置の担当者によって実行されてよい。
【００６９】
図４は、分析装置１００が取得した分析データＡＤの一例を示す。本例の分析データＡＤは、図３Ａで登録された種別マスタＤＢのそれぞれのデータを任意の時刻で取得されたものである。分析装置１００は、１秒毎、１分毎または１時間毎のように定期的にデータを取得してもよいし、ランダムなタイミングでデータを取得してもよい。
【００７０】
分析データＡＤは、任意の時刻のデータ行を含んでいる。分析データＡＤでは、データ行の前に種別マスタＤＢに登録した各種設定データが付加されている。具体的には、分析データＡＤは、データ行の前に、タグ名称、単位、タグ種別および機器種別を含んでいる。各データ行は、任意の時刻の圧力Ｐａ、回転数ｒｐｍ、振動ｄＢ、温度℃および湿度％ＲＨに関するデータを含む。本例の分析データＡＤは、一例であり、これに限定されない。
【００７１】
図５Ａは、「分析手法ＡＭ」または「分析したい内容」の設定画面の一例を示す。本例の設定画面は、表示部５０が表示する分析ツールの画面例である。
【００７２】
「分析データＡＤ」のアイコンは、分析データＡＤの入力状態を示す。一例において、分析データＡＤが分析装置１００に入力されたことを示す。また、「分析データＡＤ」のアイコンを押すことにより、分析データＡＤの入力を開始してもよい。
【００７３】
表示領域１０２および表示領域１０４は、分析ツールにおいて、表示部５０により表示される領域の一例である。表示領域１０２および表示領域１０４に「分析手法ＡＭ」と「分析したい内容」をそれぞれ表示している。
【００７４】
表示領域１０２は、「分析手法ＡＭ」を表示している。本例の表示領域１０２は、分析手法ＡＭについて、「相関算出」、「品質シミュレーション」、「異常診断Ａ」および「異常診断Ｂ」のアイコンを並べて表示している。
【００７５】
表示領域１０４は、「分析したい内容」を表示している。本例の表示領域１０４は、「分析したい内容」の一覧をプルダウンメニューで表示している。本例の表示領域１０４では、「変数間の相関関係を知りたい」と、「特定の変数が変わることで、他の変数にどのような影響がでるかを知りたい」と、「どのような変数が影響して異常が発生したのか知りたい」とが表示されている。表示部５０は、分析者に応じて「分析手法ＡＭ」または「分析したい内容」の一方のみを表示してもよい。
【００７６】
第１の分析モードでは、表示領域１０４に「分析したい内容」を少なくとも表示する。表示領域１０２には、「分析手法ＡＭ」のアイコンが表示されてもよいし、表示されなくてもよい。
【００７７】
また、第２の分析モードでは、表示領域１０２に「分析手法ＡＭ」を少なくとも表示する。表示領域１０４には、「分析したい内容」が表示されてもよいし、表示されなくてもよい。第２の分析者は、表示領域１０２を参照し、「相関算出」等の各処理のアイコンを右側の作業スペースにドラッグ＆ドロップする。これにより、分析装置１００は、分析データＡＤの分析に用いる分析手法ＡＭを、選択したアイコンの分析手法ＡＭに設定する。
【００７８】
図５Ｂは、「分析手法ＡＭ」および「分析したい内容」の一例を示す。分析装置１００は、「分析手法ＡＭ」と「分析したい内容」を関連付けて記憶する。これにより、第１の分析者は、「分析手法ＡＭ」を直接選択する必要なく、間接的に「分析手法ＡＭ」を選択することができる。
【００７９】
なお、同一の「分析したい内容」に対して、複数の「分析手法ＡＭ」が登録されてもよい。例えば、「分析したい内容」として「どのような変数が影響して異常が発生したのか知りたい」場合、「異常診断Ａ」および「異常診断Ｂ」のように複数の分析手法ＡＭが登録される。その逆に、同一の「分析手法ＡＭ」に対して、複数の「分析したい内容」が登録される場合もある。
【００８０】
図５Ｃは、「分析手法ＡＭ」または「分析したい内容」の選択方法の一例を示す。分析者は、表示部５０が表示した分析ツールにおいて、「分析手法ＡＭ」または「分析したい内容」のいずれかを選択する。
【００８１】
第２の分析者は、表示領域１０２を参照し、「分析手法ＡＭ」のアイコンのいずれかを選択する。第２の分析者は、「相関算出」のアイコンを右の作業スペースにドラッグ＆ドロップすることにより、「分析データＡＤ」のアイコンと接続している。例えば、分析装置１００は、分析ツールにおいて、「分析データＡＤ」のアイコンと各処理（例えば、前処理、分析処理および後処理等）のアイコンをつなぎ、組み合わせることでデータ分析の方法を設定する。本例の分析装置１００は、「分析データＡＤ」のアイコンと「相関算出」のアイコンとを接続することにより、分析データＡＤを「相関算出」で分析する。
【００８２】
第１の分析者は、表示領域１０４を参照し、一覧から「分析したい内容」を選択する。本例では、「分析したい内容」の一覧から「変数間の相関関係を知りたい」が選択されている。「分析したい内容」が選択された場合、対応する「分析手法ＡＭ」のアイコンが「分析データＡＤ」のアイコンと自動的に接続されてもよい。
【００８３】
図６Ａは、入力変数および出力変数の設定方法の一例を示す。分析装置１００は、分析データＡＤから入力変数および出力変数を設定する。入力変数および出力変数は、分析者により選択されてよい。本例では、入力変数に「圧力Ａ」が選択され、出力変数に「振動Ａ」が選択されている。これにより、分析装置１００は、「圧力Ａ」を入力変数とし、「振動Ａ」を出力変数として分析データＡＤの相関算出を実行する。
【００８４】
図６Ｂは、「入力変数」および「出力変数」の設定画面の一例を示す。入力変数および出力変数は、第１の分析者および第２の分析者のそれぞれにより入力されてよい。入力変数および出力変数の設定方法は、これに限定されない。
【００８５】
表示領域１０６は、入力変数および出力変数を選択するためのプルダウンメニューを有する。分析者は、相関算出のために用いられる入力変数および出力変数を表示領域１０６から選択する。本例では、「相関算出」のプロパティ入力画面で「入力変数」として「圧力Ａ」が設定され、「出力変数」として「振動Ａ」が設定されている。
【００８６】
図７Ａは、ノウハウ記憶部３５に蓄積されたノウハウデータＮＤの一例を示す。ノウハウデータＮＤは、各項目の組み合わせを保存している。本例のノウハウデータＮＤは、分析手法ＡＭと、分析したい内容と、入力変数と、入力変数のタグ種別と、出力変数と、出力変数のタグ種別と、機器種別との組み合わせを含む。本例では、図６Ｂで選択された入力変数および出力変数の組み合わせがノウハウデータＮＤの「Ｎｏ．５」に保存されている。即ち、「分析手法ＡＭ」が「相関算出」であり、「入力変数」が「圧力Ａ」であり、「出力変数」が「振動Ａ」である場合について登録されている。なお、ノウハウデータＮＤの各情報には、優先度が設定されている。
【００８７】
優先度は、ノウハウ記憶部３５からノウハウデータＮＤとして抽出する際の優先順位を示す。一例において、優先度は、「分析手法ＡＭ」および「機器種別」が同一の組み合わせ毎に設定される。即ち、本例の優先度決定部６０は、「分析手法ＡＭ」が「相関算出」であり、「機器種別」が「組立」である組み合わせの中から、優先度をそれぞれ設定する。本例では、ノウハウデータＮＤの「Ｎｏ．４」の優先度が１に設定され、「Ｎｏ．５」の優先度が２に設定されている。
【００８８】
図７Ｂは、優先度に応じたノウハウデータＮＤの抽出例を示す。本例では、「分析手法ＡＭ」として「相関算出」が選択され、「機器種別」として「組立」が選択されている。分析装置１００は、優先度が高い（即ち、優先度「１」である）ノウハウデータＮＤを用いて、ノウハウ分析結果を算出する。本例の分析装置１００は、優先度の最も高い「Ｎｏ．４」のノウハウデータＮＤを抽出している。「Ｎｏ．４」では、「入力変数」として「回転数Ａ」を設定し、「出力変数」として「振動Ａ」を設定している。
【００８９】
図７Ｃは、表示部５０による分析結果の表示方法の一例を示す。表示部５０は、分析結果１５０および分析結果１５２の２つの分析結果を示している。
【００９０】
分析結果１５０は、自己分析結果の一例である。即ち、分析結果１５０は、ノウハウデータＮＤに基づかず、分析者自らの判断によって分析した分析結果である。分析結果１５０は、分析情報ＡＮが「入力変数：圧力Ａ、出力変数：振動Ａ」の場合の相関算出結果である。
【００９１】
分析結果１５２は、ノウハウ分析結果の一例である。即ち、分析結果１５２は、ノウハウデータＮＤに基づいて分析部４０が分析した結果である。分析結果１５２は、過去の専門家により分析された情報を抽出して分析されている。分析結果１５２は、ノウハウデータＮＤから抽出した分析結果であり、最も相関がある「入力変数：回転数Ａ、出力変数：振動Ａ」の場合の相関算出結果である。
【００９２】
本例の分析装置１００は、分析結果１５０および分析結果１５２のように複数の分析結果を同時に表示する。これにより、第２の分析者は、ノウハウ分析結果を参照して、自己分析結果を検討することができる。
【００９３】
ここで、表示部５０は、分析結果１５０および分析結果１５２について、「入力変数」に違いがあるので、「圧力Ａ」と「回転数Ａ」を強調表示して、第２の分析者に入力した情報の違いが分かるように表示している。本例の表示部５０は、太字かつ下線で強調表示しているが、色を付したり、点滅等のアニメーションを付したりすることにより、強調表示してもよい。
【００９４】
なお、表示部５０は、２つの分析結果のみ表示しているものの、３以上の分析結果を表示してもよい。例えば、表示部５０は、１つの自己分析結果と、複数のノウハウ分析結果を表示する。この場合、表示部５０は、複数のノウハウ分析結果を優先度が高い順に表示してよい。
【００９５】
また、表示部５０は、優先設定ボタンを表示している。第２の分析者は、優先設定ボタンをクリックすることにより、優先度を変更してもよい。例えば、第２の分析者は、自己分析結果が、ノウハウ分析結果よりも好ましい場合、優先設定ボタンをクリックする。これにより、分析装置１００は、自己分析結果に用いた分析情報ＡＮを、優先度の高いノウハウデータＮＤとして記憶してよい。
【００９６】
図８Ａは、他の実施例に係る表示部５０が表示する分析ツールの画面例を示す。本例では、ある設備において製造される製品に異常が確認された時に、「分析データＡＤ」の中のどの変数が最も製品の異常に影響しているのかを特定する場合を説明する。本例では、ある設備において異常振動が確認された場合に、「分析データＡＤ」の中のどの変数が最も振動に影響しているのかを特定する場合について説明する。
【００９７】
第２の分析者は、「分析手法ＡＭ」として「異常診断Ａ」のアイコンを選択して、「分析データＡＤ」のアイコンと接続するように、ドラッグ＆ドロップする。分析装置１００は、ログイン情報などから分析者が専門家であることが分かっている場合、図５Ａで示した「分析したい内容」を分析ツールに表示しなくてよい。分析者が第１の分析者か第２の分析者か分からない場合、分析装置１００は、「分析手法ＡＭ」および「分析したい内容」の両方を表示してよい。
【００９８】
図８Ｂは、ノウハウ記憶部３５に蓄積されたノウハウデータＮＤの一例を示す。ノウハウデータＮＤは、各項目の組み合わせを保存している。本例のノウハウデータＮＤは、分析手法ＡＭと、分析したい内容と、入力変数と、入力変数のタグ種別と、出力変数と、出力変数のタグ種別と、機器種別との組み合わせを含む。本例では、選択された内容がノウハウデータＮＤの「Ｎｏ．６」に保存されている。即ち、「分析手法ＡＭ」が「異常診断Ａ」であり、「機器種別」が「組立」である場合について「Ｎｏ．６」に登録されている。
【００９９】
図８Ｃは、優先度に応じたノウハウデータＮＤの抽出例を示す。本例では、「分析手法ＡＭ」として「異常診断Ｂ」が選択され、「機器種別」として「組立」が選択されている。この場合に、分析装置１００は、優先度の最も高い「Ｎｏ．２」のノウハウデータＮＤを抽出している。
【０１００】
図８Ｄは、表示部５０による分析結果の表示方法の一例を示す。表示部５０は、分析結果１５４および分析結果１５６の２つの分析結果を示している。本例の表示部５０は、異常要因変数の結果を表示している。
【０１０１】
分析結果１５４は、自己分析結果の一例である。即ち、分析結果１５４は、ノウハウデータＮＤに基づかず、分析者自らの判断によって分析した分析結果である。分析結果１５４は、分析情報ＡＮが「分析手法ＡＭ：異常診断Ａ」の場合の分析結果である。
【０１０２】
分析結果１５６は、ノウハウ分析結果の一例である。即ち、分析結果１５６は、ノウハウデータＮＤに基づいて分析部４０が分析した結果である。分析結果１５６は、過去の専門家により分析された情報を抽出して分析されている。分析結果１５６は、ノウハウデータＮＤから抽出した分析結果であり最も相関がある「分析手法ＡＭ：異常診断Ｂ」の場合の異常診断の分析結果である。
【０１０３】
分析結果１５４を参照すると、第２の分析者が自らの考えで実行した「分析手法ＡＭ：異常診断Ａ」では振動数Ａが要因として出力されている。一方、分析結果１５６を参照すると、ノウハウデータＮＤから抽出した「分析手法ＡＭ：異常診断Ｂ」では、回転数Ａが要因として抽出されている。
【０１０４】
ここで、分析結果１５４および分析結果１５６では、分析結果に違いがあるので、相違箇所となる分析手法ＡＭである「異常診断Ａ」および「異常診断Ｂ」が強調表示されている。本例の表示部５０は、太字かつ下線で強調表示しているが、色を付したり、点滅等のアニメーションを付したりすることにより、強調表示してもよい。これにより、分析装置１００は、第２の分析者に気づきを提供することができる。また、表示部５０は、異常診断結果の要因である「振動Ａ」および「回転数Ａ」をそれぞれ強調表示してもよい。
【０１０５】
図８Ｅは、ノウハウ記憶部３５へのノウハウデータＮＤの登録例を示す。本例では、図８Ｄにおいて、自己分析結果が、ノウハウ分析結果よりも好ましい場合について説明する。即ち、「異常診断Ｂ」を用いた分析結果１５６よりも「異常診断Ａ」を用いた分析結果１５４の方が好ましい。この場合、第２の分析者は、「優先設定」ボタンを押すことにより、自らの考えで実行した分析結果１５４をノウハウデータＮＤに保存し、優先的にノウハウとして抽出するよう設定することができる。
【０１０６】
例えば、「優先設定」ボタンを押下した場合、ノウハウデータＮＤの優先度欄が更新され、「Ｎｏ．２」の優先度が１から２に変更され、「Ｎｏ．６」の優先度が２から１に変更される。結果として、次回より「分析したい内容」に「どのような変数が影響して異常が発生したのか知りたい」を選択し、「機器種別」が「組立」だった場合、「Ｎｏ．６」のノウハウデータＮＤがノウハウとして優先的に抽出されるようになる。
【０１０７】
以上の通り、分析装置１００は、自己分析結果とノウハウ分析結果の両方を分析者に提示することができる。これにより、分析装置１００は、専門家である分析者が分析した場合であっても、過去のノウハウに基づく分析結果との比較により新たな気づきを提供することができる。また、分析装置１００は、ノウハウデータＮＤの優先度を変更することにより、ノウハウ活用における精度を向上することができる。
【０１０８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１１０】
１０・・・分析データ入力部、２０・・・分析情報入力部、２５・・・分析情報記憶部、３０・・・ノウハウ入力部、３５・・・ノウハウ記憶部、３８・・・更新部、４０・・・分析部、５０・・・表示部、６０・・・優先度決定部、１００・・・分析装置、１０２・・・表示領域、１０４・・・表示領域、１０６・・・表示領域、１５０・・・分析結果、１５２・・・分析結果
【図１】
2020030083.tif 000003
【図２Ａ】
2020030083.tif 000004
【図２Ｂ】
2020030083.tif 000005
【図２Ｃ】
2020030083.tif 000006
【図３Ａ】
2020030083.tif 000007
【図３Ｂ】
2020030083.tif 000008
【図３Ｃ】
2020030083.tif 000009
【図４】
2020030083.tif 000010
【図５Ａ】
2020030083.tif 000011
【図５Ｂ】
2020030083.tif 000012
【図５Ｃ】
2020030083.tif 000013
【図６Ａ】
2020030083.tif 000014
【図６Ｂ】
2020030083.tif 000015
【図７Ａ】
2020030083.tif 000016
【図７Ｂ】
2020030083.tif 000017
【図７Ｃ】
2020030083.tif 000018
【図８Ａ】
2020030083.tif 000019
【図８Ｂ】
2020030083.tif 000020
【図８Ｃ】
2020030083.tif 000021
【図８Ｄ】
2020030083.tif 000022
【図８Ｅ】
2020030083.tif 000023